(57)【特許請求の範囲】
【請求項１】
登録地点の情報である登録地点情報であって、前記登録地点の名称であってユーザによって変更される前の変更前名称が所定方法で取得できた場合には当該変更前名称を含み、前記変更前名称がユーザによって変更された場合には前記変更前名称と当該変更後の変更後名称とを含む、登録地点情報を格納する登録地点情報格納手段と、
前記登録地点に関連する情報の検索の指示操作をユーザから受け付けるための検索操作受付手段を表示する表示手段と、
前記登録地点に関連する情報の検索が指示された場合、当該登録地点に対応する登録地点情報を前記登録地点情報格納手段から取得し、当該取得した登録地点情報から取得した検索キーワードに基づいて検索エンジンを用いた検索を行う検索手段と、
前記検索手段にて検索された結果を案内する案内手段とを備え、
前記検索手段は、前記登録地点に関連する情報の検索が指示された場合、当該登録地点の名称がユーザによって変更されたか否かを前記登録地点情報格納手段に格納された登録地点情報に基づいて判定し、当該登録地点の名称がユーザによって変更されたと判定した場合には、当該登録地点に対応する変更前名称が前記登録地点情報格納手段に格納されているか否かを判定し、当該登録地点に対応する変更前名称が格納されていると判定した場合には、当該変更前名称を前記登録地点情報格納手段から取得し、当該変更前名称を少なくとも含む検索キーワードに基づいて検索を行い、
前記検索手段は、前記検索操作受付手段を前記表示手段に表示する際、当該登録地点の名称がユーザによって変更されたか否かを前記登録地点情報格納手段に格納された登録地点情報に基づいて判定し、当該登録地点の名称がユーザによって変更されたと判定した場合には、当該登録地点に対応する変更前名称が前記登録地点情報格納手段に格納されているか否かを判定し、当該登録地点に対応する変更前名称が格納されていないと判定した場合には、前記検索の指示操作をユーザから受け付けることが不可となる所定態様で前記検索操作受付手段を前記表示手段に表示させる、
登録地点関連情報案内装置。
【請求項２】
前記登録地点情報格納手段は、前記登録地点の住所を含む前記登録地点情報を格納し、
前記検索手段は、前記登録地点に関連する情報の検索が指示された場合、当該登録地点に対応する住所を前記登録地点情報格納手段から取得し、当該取得した住所と当該登録地点に対応する変更前名称とを含む検索キーワードに基づいて検索を行う、
請求項１に記載の登録地点関連情報案内装置。
【請求項３】
登録地点の情報である登録地点情報であって、前記登録地点の名称であってユーザによって変更される前の変更前名称が所定方法で取得できた場合には当該変更前名称を含み、前記変更前名称がユーザによって変更された場合には前記変更前名称と当該変更後の変更後名称とを含む、登録地点情報を登録地点情報格納手段に格納する登録地点情報格納ステップと、
前記登録地点に関連する情報の検索の指示操作をユーザから受け付けるための検索操作受付手段を表示する表示ステップと、
前記登録地点に関連する情報の検索が指示された場合、当該登録地点に対応する登録地点情報を前記登録地点情報格納手段から取得し、当該取得した登録地点情報から取得した検索キーワードに基づいて検索エンジンを用いた検索を行う検索ステップと、
前記検索ステップにて検索された結果を案内する案内ステップとを含み、
前記検索ステップにおいて、前記登録地点に関連する情報の検索が指示された場合、当該登録地点の名称がユーザによって変更されたか否かを前記登録地点情報格納手段に格納された登録地点情報に基づいて判定し、当該登録地点の名称がユーザによって変更されたと判定した場合には、当該登録地点に対応する変更前名称が前記登録地点情報格納手段に格納されているか否かを判定し、当該登録地点に対応する変更前名称が格納されていると判定した場合には、当該変更前名称を前記登録地点情報格納手段から取得し、当該変更前名称を少なくとも含む検索キーワードに基づいて検索を行い、
前記検索ステップにおいて、前記検索操作受付手段を前記表示ステップにおいて表示する際、当該登録地点の名称がユーザによって変更されたか否かを前記登録地点情報格納手段に格納された登録地点情報に基づいて判定し、当該登録地点の名称がユーザによって変更されたと判定した場合には、当該登録地点に対応する変更前名称が前記登録地点情報格納手段に格納されているか否かを判定し、当該登録地点に対応する変更前名称が格納されていないと判定した場合には、前記検索の指示操作をユーザから受け付けることが不可となる所定態様で前記検索操作受付手段を表示させる、
登録地点関連情報案内方法。
【請求項４】
請求項３に記載の方法をコンピュータに実行させる登録地点関連情報案内プログラム。
【発明の詳細な説明】
【技術分野】
【０００１】
本発明は、登録地点関連情報案内装置、登録地点関連情報案内方法、及び登録地点関連情報案内プログラムに関する。
【背景技術】
【０００２】
従来、地図上における任意の地点の情報をＰＯＩ（Ｐｏｉｎｔｓ  Ｏｆ  Ｉｎｔｅｒｅｓｔ）として登録しておき、このＰＯＩの名称や住所を検索キーワードとしてＷｅｂ検索を行うことで、ＰＯＩに関連する情報を取得することができる情報提供装置が提案されている（例えば、特許文献１参照）。
【先行技術文献】
【特許文献】
【０００３】
【特許文献１】特開２０１０−１２８８８３号公報
【発明の概要】
【発明が解決しようとする課題】
【０００４】
しかしながら、ＰＯＩの名称としては、ＰＯＩに対応する地点における施設等の正式な名称ではなく、ユーザによって任意に変更された名称が登録されている場合があり、このような変更後の名称を検索キーワードとしてＷｅｂ検索を行っても、適切な検索結果を得ることができない可能性があった。
【０００５】
本発明は、上記に鑑みてなされたものであって、各種の登録地点の名称がユーザによって変更されている場合であっても、適切な検索結果を得ること等が可能となる、登録地点関連情報案内装置、登録地点関連情報案内方法、及び登録地点関連情報案内プログラムを提供することを目的とする。
【課題を解決するための手段】
【０００６】
上述した課題を解決し、目的を達成するために、請求項１に記載の登録地点関連情報案内装置は、登録地点の情報である登録地点情報であって、前記登録地点の名称であってユーザによって変更される前の変更前名称が所定方法で取得できた場合には当該変更前名称を含み、前記変更前名称がユーザによって変更された場合には前記変更前名称と当該変更後の変更後名称とを含む、登録地点情報を格納する登録地点情報格納手段と、前記登録地点に関連する情報の検索の指示操作をユーザから受け付けるための検索操作受付手段を表示する表示手段と、前記登録地点に関連する情報の検索が指示された場合、当該登録地点に対応する登録地点情報を前記登録地点情報格納手段から取得し、当該取得した登録地点情報から取得した検索キーワードに基づいて検索エンジンを用いた検索を行う検索手段と、前記検索手段にて検索された結果を案内する案内手段とを備え、前記検索手段は、前記登録地点に関連する情報の検索が指示された場合、当該登録地点の名称がユーザによって変更されたか否かを前記登録地点情報格納手段に格納された登録地点情報に基づいて判定し、当該登録地点の名称がユーザによって変更されたと判定した場合には、当該登録地点に対応する変更前名称が前記登録地点情報格納手段に格納されているか否かを判定し、当該登録地点に対応する変更前名称が格納されていると判定した場合には、当該変更前名称を前記登録地点情報格納手段から取得し、当該変更前名称を少なくとも含む検索キーワードに基づいて検索を行い、前記検索手段は、前記検索操作受付手段を前記表示手段に表示する際、当該登録地点の名称がユーザによって変更されたか否かを前記登録地点情報格納手段に格納された登録地点情報に基づいて判定し、当該登録地点の名称がユーザによって変更されたと判定した場合には、当該登録地点に対応する変更前名称が前記登録地点情報格納手段に格納されているか否かを判定し、当該登録地点に対応する変更前名称が格納されていないと判定した場合には、前記検索の指示操作をユーザから受け付けることが不可となる所定態様で前記検索操作受付手段を前記表示手段に表示させる。
【０００８】
請求項２に記載の登録地点関連情報案内装置は、請求項１に記載の登録地点関連情報案内装置において、前記登録地点情報格納手段は、前記登録地点の住所を含む前記登録地点情報を格納し、前記検索手段は、前記登録地点に関連する情報の検索が指示された場合、当該登録地点に対応する住所を前記登録地点情報格納手段から取得し、当該取得した住所と当該登録地点に対応する変更前名称とを含む検索キーワードに基づいて検索を行う。
【０００９】
請求項３に記載の登録地点関連情報案内方法は、登録地点の情報である登録地点情報であって、前記登録地点の名称であってユーザによって変更される前の変更前名称が所定方法で取得できた場合には当該変更前名称を含み、前記変更前名称がユーザによって変更された場合には前記変更前名称と当該変更後の変更後名称とを含む、登録地点情報を登録地点情報格納手段に格納する登録地点情報格納ステップと、前記登録地点に関連する情報の検索の指示操作をユーザから受け付けるための検索操作受付手段を表示する表示ステップと、前記登録地点に関連する情報の検索が指示された場合、当該登録地点に対応する登録地点情報を前記登録地点情報格納手段から取得し、当該取得した登録地点情報から取得した検索キーワードに基づいて検索エンジンを用いた検索を行う検索ステップと、前記検索ステップにて検索された結果を案内する案内ステップとを含み、前記検索ステップにおいて、前記登録地点に関連する情報の検索が指示された場合、当該登録地点の名称がユーザによって変更されたか否かを前記登録地点情報格納手段に格納された登録地点情報に基づいて判定し、当該登録地点の名称がユーザによって変更されたと判定した場合には、当該登録地点に対応する変更前名称が前記登録地点情報格納手段に格納されているか否かを判定し、当該登録地点に対応する変更前名称が格納されていると判定した場合には、当該変更前名称を前記登録地点情報格納手段から取得し、当該変更前名称を少なくとも含む検索キーワードに基づいて検索を行い、前記検索ステップにおいて、前記検索操作受付手段を前記表示ステップにおいて表示する際、当該登録地点の名称がユーザによって変更されたか否かを前記登録地点情報格納手段に格納された登録地点情報に基づいて判定し、当該登録地点の名称がユーザによって変更されたと判定した場合には、当該登録地点に対応する変更前名称が前記登録地点情報格納手段に格納されているか否かを判定し、当該登録地点に対応する変更前名称が格納されていないと判定した場合には、前記検索の指示操作をユーザから受け付けることが不可となる所定態様で前記検索操作受付手段を表示させる。
【００１０】
請求項４に記載の登録地点関連情報案内プログラムは、請求項３に記載の方法をコンピュータに実行させるプログラムである。
【発明の効果】
【００１１】
請求項１に記載の登録地点関連情報案内装置、請求項３に記載の登録地点関連情報案内方法、及び請求項４に記載の登録地点関連情報案内プログラムによれば、登録地点の名称がユーザによって変更されたと判定した場合であって、登録地点に対応する変更前名称が格納されていると判定した場合には、変更前名称を少なくとも含む検索キーワードに基づいて検索を行うので、ユーザが任意に変更した変更後名称を含む検索キーワードに基づいて検索を行う場合に比べて、一層適切な検索結果を得ることが可能になり、登録地点関連情報案内における利便性を向上することができる。
また、登録地点に対応する変更前名称が格納されていないと判定した場合には、検索の指示操作をユーザから受け付けることが不可となる所定態様で検索操作受付手段を表示手段に表示させるので、ユーザが任意に変更した変更後名称を含む検索キーワードに基づいて検索が行われることを防止でき、適切な検索結果が得られる可能性が低い検索が行われることを未然に防止することができて、登録地点関連情報案内における利便性を向上することができる。
【００１３】
また、請求項２に記載の登録地点関連情報案内装置によれば、住所と変更前名称とを含む検索キーワードに基づいて検索を行うので、変更前名称のみを含む検索キーワードに基づいて検索を行う場合に比べて、一層適切な検索結果を得ることが可能になり、登録地点関連情報案内における利便性を向上することができる。
【図面の簡単な説明】
【００１４】
【図１】本発明の実施の形態に係る登録地点関連情報案内装置を例示するブロック図である。
【図２】登録地点情報の構成例を示す図である。
【図３】登録地点情報編集処理のフローチャートである。
【図４】登録地点関連情報案内処理のフローチャートである。
【図５】登録地点関連情報の検索が可能な場合の閲覧画面の表示例である。
【図６】登録地点関連情報の検索が不可な場合の閲覧画面の表示例である。
【発明を実施するための形態】
【００１５】
以下、本発明に係る登録地点関連情報案内装置、登録地点関連情報案内方法、及び登録地点関連情報案内プログラムの実施の形態について図面を参照しつつ詳細に説明する。ただし、この実施の形態によって本発明が限定されるものではない。
【００１６】
本実施の形態では、スマートフォンに登録地点関連情報案内プログラムをインストールすることにより、スマートフォンが登録地点関連情報案内装置として機能する場合について説明するが、この他にも、車載用ナビゲーション装置や携帯用ナビゲーション装置を含む任意の装置によって登録地点関連情報案内装置を構成してもよい。また、登録地点関連情報案内装置におけるスマートフォンとしての機能については、公知のスマートフォンと同様の構成により得ることができるので、その説明は省略することとし、特に登録地点関連情報案内機能を達成するための構成について説明する。
【００１７】
（構成）
まず、本実施の形態に係る登録地点関連情報案内装置の構成を説明する。図１は、本実施の形態に係る登録地点関連情報案内装置を例示するブロック図である。図１に示すように、登録地点関連情報案内装置１は、現在位置取得部２、タッチパネル３、ディスプレイ４、スピーカ５、及び登録地点関連情報案内部６を備えている。
【００１８】
（構成−現在位置取得部）
現在位置取得部２は、登録地点関連情報案内装置１の現在位置を取得する現在位置取得手段である。具体的には、現在位置取得部２は、ＧＰＳ、地磁気センサ、距離センサ、又はジャイロセンサ（いずれも図示省略）の少なくとも一つを有し、現在の登録地点関連情報案内装置１の位置（座標）及び方位等を公知の方法にて検出する。
【００１９】
（構成−タッチパネル）
タッチパネル３は、ユーザの指等で押圧されることにより、当該ユーザから各種手動入力を受け付けるものである。このタッチパネル３は、透明又は半透明状に形成され、ディスプレイ４の前面において当該ディスプレイ４の表示面と重畳するように設けられている。このタッチパネル３としては、例えば抵抗膜方式や静電容量方式等による操作位置検出手段を備えた公知のタッチパネルを使用することができる。
【００２０】
（構成−ディスプレイ）
ディスプレイ４は、登録地点関連情報案内装置１によって案内される画像を表示する表示手段であり、特に、後述する検索部７ｃにて検索された結果を案内する案内手段であると共に、登録地点に関連する情報の検索の指示操作をユーザから受け付けるための検索操作受付ボタンを表示する表示手段である。このディスプレイ４の具体的な構成は任意であり、公知の液晶ディスプレイや有機ＥＬディスプレイの如きフラットパネルディスプレイを使用することができる。
【００２１】
（構成−スピーカ）
スピーカ５は、登録地点関連情報案内部６の制御に基づいて各種の音声を出力する出力手段である。スピーカ５より出力される音声の具体的な態様は任意であり、必要に応じて生成された合成音声や、予め録音された音声を出力することができる。
【００２２】
（構成−登録地点関連情報案内部）
登録地点関連情報案内部６は、登録地点関連情報の案内を行う登録地点関連情報手段であり、制御部７及びデータ記録部８を備えている。
【００２３】
（構成−登録地点関連情報案内部−制御部）
制御部７は、登録地点関連情報案内装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る登録地点関連情報案内プログラムは、任意の記録媒体又はネットワークを介して登録地点関連情報案内装置１にインストールされることで、制御部７の各部を実質的に構成する。
【００２４】
この制御部７は、機能概念的に、登録部７ａ、編集部７ｂ、及び検索部７ｃを備える。このうち、登録部７ａは、登録地点情報の登録を行う登録地点情報登録手段である。また、編集部７ｂは、登録地点情報の編集を行う登録地点情報編集手段である。また、検索部７ｃは、登録地点に関連する情報（以下、登録地点関連情報）の検索が指示された場合、当該登録地点に対応する登録地点情報を後述する登録地点情報ＤＢ８ｂから取得し、当該取得した登録地点情報から取得した検索キーワードに基づいて検索エンジンを用いた検索を行う検索手段である。ここで、「検索エンジン」とは、例えば、インターネットの如き任意のネットワークを介して利用できる公知の検索プログラムであり、登録地点関連情報案内部６がネットワークを介して検索キーワードを当該検索プログラムに与えると、当該検索キーワードに基づいて登録地点関連情報を取得し、当該取得した登録地点関連情報をネットワークを介して登録地点関連情報案内部６に出力する検索プログラムである。この「登録地点関連情報」の具体的な内容は任意であり、検索結果により異なり得るが、例えば、施設の営業日、営業時間、電話番号、ホームページアドレス、評判、お勧めの商品等を含む。これら制御部７の各部により行われる具体的な処理については後述する。
【００２５】
（構成−登録地点関連情報案内部−データ記録部）
データ記録部８は、登録地点関連情報案内装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００２６】
このデータ記録部８は、地図情報データベース（以下、データベースを「ＤＢ」と称する）８ａと、登録地点情報ＤＢ８ｂとを備えている。
【００２７】
この地図情報ＤＢ８ａは、地図情報を格納する地図情報格納手段である。「地図情報」とは、交差点や一時停止地点を含む各種の位置の特定に必要な情報であり、例えば、交差点データ（交差点座標等）、地図をディスプレイ４に表示するための地図表示データ、及び施設情報を含んで構成されている。ここで、「施設情報」は、例えば、施設の種類、座標、名称、及び住所を含んで構成されている。
【００２８】
登録地点情報ＤＢ８ｂは、登録地点の情報である登録地点情報を格納する登録地点情報格納手段である。ここで、「登録地点」とは、ユーザによって登録された地点であり、例えば、ユーザが公知の施設検索にて検索した施設が存在する地点（ＰＯＩ）、施設の有無とは無関係にユーザが地図上で特定した地点（メモリ地点）、あるいは、過去の経路案内時に目的地として設定された地点（目的地履歴地点）を含む。この登録地点情報は、図２の構成例に示すように、項目「座標」、項目「変更前名称」、項目「変更後名称」、及び項目「住所」と、これら各項目に対応する情報を相互に関連付けて構成されている。項目「座標」に対応する情報は、登録地点の座標である。項目「変更前名称」に対応する情報は、登録地点の名称であり、登録地点が登録された際に取得された名称（デフォルト名称。以下、変更前名称）である。項目「変更後名称」に対応する情報は、登録地点の名称であり、変更前名称がユーザによって変更された場合における当該変更後の名称（変更後名称）である。ここで、項目「変更前名称」に対応する情報や項目「変更後名称」に対応する情報は、全てが格納されている場合と、一部又は全てが格納されていない場合とがある。すなわち、項目「変更前名称」に対応する情報は、変更前名称が所定方法で取得できた場合にのみ格納され、変更前名称が格納されていない場合には空白のままとされる。また、項目「変更後名称」に対応する情報は、変更前名称がユーザによって変更された場合にのみ格納され、変更後名称が格納されていない場合には空白のままとされる。項目「住所」に対応する情報は、登録地点の住所である。なお、登録地点情報としては、この他にも任意の情報を含めることができ、例えば、電話番号やホームページアドレスを含めてもよい。
【００２９】
（処理）
次に、このように構成される登録地点関連情報案内装置１によって実行される処理について説明する。この処理は、登録地点情報登録処理、登録地点情報編集処理、及び登録地点関連情報案内処理に大別される。以下の各処理の説明において、制御主体を特記しない処理については、登録地点関連情報案内部６の制御部７にて実行されるものとし、情報の取得元や取得経路を特記しない場合については、公知のタイミング及び公知の方法にて、登録地点関連情報案内部６のデータ記録部８に予め格納されており、あるいは、登録地点関連情報案内部６のタッチパネル３を介してユーザ等によって入力されるものとする。また、ステップを「Ｓ」と略記する。
【００３０】
（処理−登録地点情報登録処理）
最初に、登録地点情報登録処理について説明する。この処理は、登録地点情報を登録するための処理である。
【００３１】
まず、ユーザは、登録したい地点をタッチパネル３を介した所定方法で特定し、当該地点の登録をタッチパネル３を介した所定方法で指示する。例えば、登録したい地点の選択は、従来と同様の施設検索により行うことができる。すなわち、ユーザが、ディスプレイ４に表示された施設リストの中から検索したい施設の種類をタッチパネル３を介して選択すると、登録部７ａは、当該選択された種類に合致した施設の名称及び住所を、地図情報ＤＢ８ａに格納された施設情報から取得してリスト形式でディスプレイ４に表示する。そして、ユーザは、これら施設の名称及び住所の中から登録したい施設の名称及び住所をタッチパネル３を介して選択することで、当該施設が存在する地点を登録したい地点として選択することができる。あるいは、地点の選択は、従来と同様のメモリ地点選択により行うことができる。すなわち、ユーザが、ディスプレイ４に表示された地図における任意の地点をタッチパネル３を介して選択することで、当該地点を登録したい地点として選択することができる。この他にも、任意の方法で登録したい地点を特定するようにしてもよい。
【００３２】
地点の登録が指示されると、この登録地点情報登録処理が起動される。この処理において、登録部７ａは、当該特定された地点の登録地点情報を登録する。例えば、登録したい地点の選択が施設検索により行われた場合、登録部７ａは、先に特定された施設の座標、名称、及び住所を地図情報ＤＢ８ａから取得し、当該取得した施設の座標、名称、及び住所を、相互に関連付けて登録地点情報として登録地点情報ＤＢ８ｂに格納する。この際、施設の名称は、変更前名称として登録地点情報ＤＢ８ｂに格納し、変更後名称は空白のままとする。あるいは、登録したい地点の選択がメモリ地点選択により行われた場合、登録部７ａは、先に特定された地点の座標及び住所を地図情報ＤＢ８ａから取得し、当該取得した施設の座標及び住所を、相互に関連付けて登録地点情報として登録地点情報ＤＢ８ｂに格納する。この際、先に特定された地点の名称は取得できないため、変更前名称及び変更後名称は空白のままとする。なお、登録すべき座標及び住所の組み合わせに対応する登録地点情報が、既に登録地点情報ＤＢ８ｂに格納されている場合には、当該地点が既に登録されている旨をディスプレイ４に表示して、登録を省略してもよい。これにて登録地点情報登録処理が終了する。
【００３３】
（処理−登録地点情報編集処理）
次に、登録地点情報編集処理について説明する。図３は、登録地点情報編集処理のフローチャートである。この処理は、登録地点情報を編集するための処理である。
【００３４】
ユーザが登録地点情報の編集を所定方法で指示すると、登録地点情報編集処理が起動される。この処理において、編集部７ｂは、登録地点情報をディスプレイ４に表示する（ＳＢ１）。例えば、編集部７ｂは、登録地点情報ＤＢ８ｂから各登録地点情報の変更前名称（又は、変更後名称が格納されている場合には、変更前名称に代えて変更後名称。以下、本処理においては、これら変更前名称と変更後名称を必要に応じて「名称」と総称する）及び住所を取得し、当該取得した名称及び住所をリスト形式でディスプレイ４に表示する。ただし、変更前名称と変更後名称のいずれも格納されていない登録地点に関しては、住所のみを表示する。
【００３５】
次いで、編集部７ｂは、ユーザが、ディスプレイ４に表示されている名称の中から、編集したい名称をタッチパネル３を介して選択したか否かを監視する（ＳＢ２）。そして、登録地点情報を表示してから所定時間以内に編集したい名称の選択がなかった場合には（ＳＢ２、Ｎｏ）、登録地点情報編集処理を終了する。一方、所定時間以内に編集したい名称が選択された場合（ＳＢ２、Ｙｅｓ）、編集部７ｂは、当該選択された名称を編集するための編集画面を生成してディスプレイ４に表示する（ＳＢ３）。この際、変更前名称と変更後名称のいずれも格納されていないために住所のみが表示されている登録地点に関しては、ＳＢ２において、ユーザが、住所をタッチパネル３を介して選択することにより、編集部７ｂは、当該選択された住所に対応する名称を入力するための画面として、上記編集画面を生成してディスプレイ４に表示する。
【００３６】
この編集画面は、例えば、ユーザによって選択された名称の表示領域と、新しい変更後名称を入力するための入力欄を備えて構成されており、編集部７ｂは、ユーザがこの入力欄にタッチパネル３を介して変更後名称を入力して所定方法で編集実行を指示したか否かを監視する（ＳＢ４）。そして、編集画面を表示してから所定時間以内に変更後名称の入力がなかった場合には（ＳＢ４、Ｎｏ）、登録地点情報編集処理を終了する。一方、所定時間以内に変更後名称の入力があった場合（ＳＢ４、Ｙｅｓ）、編集部７ｂは、当該入力された変更後名称を、ＳＢ２でユーザが選択した名称に対応する変更後名称として、登録地点情報ＤＢ８ｂに記憶する（ＳＢ５）。これにて登録地点情報編集処理を終了する。
【００３７】
このＳＢ５の処理内容について、さらに具体的に説明する。ＳＢ１で変更前名称が表示され、ＳＢ２でユーザが変更前名称を選択した場合（つまり、変更前名称の編集が初めて行われたために、変更後名称が未だ登録地点情報ＤＢ８ｂに記憶されていない場合）、当該選択した変更前名称はそのまま残した上で、編集画面で入力された名称を変更後名称として格納する。
【００３８】
一方、ＳＢ１で変更後名称が表示され、ＳＢ２でユーザが変更後名称を選択した場合（つまり、変更前名称の編集が既に１回以上行われているために、変更前名称と変更後名称の両方が既に登録地点情報ＤＢ８ｂに記憶されている場合）、登録地点情報ＤＢ８ｂに記憶されている変更前名称はそのまま残した上で、登録地点情報ＤＢ８ｂに記憶されている変更後名称を、編集画面で入力された変更後名称で上書きする。
【００３９】
あるいは、ＳＢ１で変更前名称と変更後名称のいずれも格納されていないために住所のみが表示され、ＳＢ２でユーザが住所を選択した場合、登録地点情報ＤＢ８ｂにおける変更前名称は空白のままとした上で、編集画面で入力された名称を変更後名称として格納する。
【００４０】
（処理−登録地点関連情報案内処理）
最後に、登録地点関連情報案内処理について説明する。図４は、登録地点関連情報案内処理のフローチャートである。この処理は、検索エンジンを用いて登録地点関連情報を検索するための処理である。
【００４１】
ユーザが登録地点情報の検索を所定方法で指示すると、登録地点関連情報案内処理が起動される。この処理において、検索部７ｃは、登録地点情報をディスプレイ４に表示する（ＳＣ１）。例えば、検索部７ｃは、登録地点情報ＤＢ８ｂから各登録地点情報の変更前名称（又は、変更後名称が格納されている場合には、変更前名称に代えて変更後名称。以下、本処理においては、これら変更前名称と変更後名称を必要に応じて「名称」と総称する）及び住所を取得し、当該取得した名称及び住所をリスト形式でディスプレイ４に表示する。この際、変更前名称と変更後名称のいずれも格納されていないために住所のみが表示されている登録地点に関しては、当該住所のみを表示する。
【００４２】
次いで、検索部７ｃは、ユーザが、ディスプレイ４に表示されている名称又は住所に基づいて、閲覧したい登録地点をタッチパネル３を介して選択したか否かを監視する（ＳＣ２）。そして、登録地点情報を表示してから所定時間以内に閲覧したい登録地点の選択がなかった場合には（ＳＣ２、Ｎｏ）、登録地点関連情報案内処理を終了する。一方、所定時間以内に閲覧したい登録地点の選択があった場合（ＳＣ２、Ｙｅｓ）、検索部７ｃは、当該選択された登録地点の名称が登録地点情報ＤＢ８ｂに格納されているか否かを判定する（ＳＣ３）。すなわち。ディスプレイ４に名称と住所の両方が表示されている登録地点に関して、これら名称と住所のいずれかがタッチパネル３を介して選択されると、当該選択された登録地点の名称が登録地点情報ＤＢ８ｂに格納されていると判定する（ＳＣ３、Ｙｅｓ）。一方、ディスプレイ４に住所のみが表示されている登録地点に関して、この住所がタッチパネル３を介して選択されると、当該選択された登録地点の名称が登録地点情報ＤＢ８ｂに格納されていないと判定する（ＳＣ３、Ｎｏ）。
【００４３】
そして、名称が格納されていると判定した場合（ＳＣ３、Ｙｅｓ）、検索部７ｃは、ＳＣ２で選択された名称がユーザによって変更されたか否かを（変更前名称が変更後名称に変更されたか否かを）、登録地点情報ＤＢ８ｂに格納された登録地点情報に基づいて判定する（ＳＣ４）。具体的には、検索部７ｃは、ＳＣ２で選択された名称が、登録地点情報ＤＢ８ｂに変更前名称として格納されている名称である場合には、名称がユーザによって変更されていないと判定し、登録地点情報ＤＢ８ｂに変更後名称として格納されている名称である場合には、名称がユーザによって変更されていると判定する。
【００４４】
そして、変更されていないと判定した場合（ＳＣ４、Ｎｏ）、検索部７ｃは、ＳＣ２で選択された名称又は住所を閲覧するための閲覧画面を生成してディスプレイ４に表示する（ＳＣ５）。この際、検索部７ｃは、登録地点関連情報の検索の指示操作をユーザから受け付けるための検索操作受付ボタンを、当該検索の指示操作をユーザから受け付けることが可能となる所定態様で、ディスプレイ４に表示する。
【００４５】
図５は、登録地点関連情報の検索が可能な場合の閲覧画面の表示例である。この閲覧画面は、ユーザによって選択された名称（この場合には、変更前名称）又は住所の表示領域と、登録地点関連情報の検索の指示操作をユーザから受け付けるための検索操作受付ボタンを含んで構成されている。ここで、ＳＣ４において名称がユーザによって変更されていないと判定されていることから、変更前名称による検索が可能であるため、検索操作受付ボタンをユーザが選択可能な態様（トーンアップ）で表示する。
【００４６】
そして、図４において、検索部７ｃは、ユーザが検索操作受付ボタンをタッチパネル３を介して選択することにより、登録地点関連情報の検索を指示操作したか否かを監視する（ＳＣ６）。そして、閲覧画面を表示してから所定時間以内に登録地点関連情報の検索の指示操作がなかった場合には（ＳＣ６、Ｎｏ）、登録地点関連情報案内処理を終了する。一方、所定時間以内に登録地点関連情報の検索の指示操作があった場合（ＳＣ６、Ｙｅｓ）、検索部７ｃは、ＳＣ３で含まれていると判定した変更前名称を少なくとも含む検索キーワードに基づいて、検索エンジンを用いた検索を行う（ＳＣ７）。また、この際、検索部７ｃは、当該変更前名称に対応する住所を登録地点情報ＤＢ８ｂから取得し、当該選択された住所と、上記変更前名称とを、ＡＮＤ条件で含んだ検索キーワードに基づいて検索を行う。そして、検索部７ｃは、当該検索の結果をディスプレイ４に表示する（ＳＣ８）。この結果、ユーザは、登録地点関連情報を閲覧することが可能になる。これにて登録地点関連情報案内処理を終了する。
【００４７】
一方、ＳＣ４において名称が変更されていると判定した場合（ＳＣ４、Ｙｅｓ）、検索部７ｃは、当該変更された後の変更後名称に対応する変更前名称が、登録地点情報ＤＢ８ｂに格納されているか否かを判定する（ＳＣ９）。そして、変更前名称が格納されていると判定した場合には（ＳＣ９、Ｙｅｓ）、当該変更前名称を登録地点情報ＤＢ８ｂから取得し、当該変更前名称に基づいて、閲覧画面を生成してディスプレイ４に表示する（ＳＣ５）。すなわち、図５に示すように、ユーザによって選択された名称（この場合には、変更後名称）又は住所の表示領域と、登録地点関連情報の検索の指示操作をユーザから受け付けるための検索操作受付ボタンを含んで構成されている。ここで、ＳＣ４において名称がユーザによって変更されていると判定されているが、ＳＣ９において変更前名称が格納されていると判定されていることから、変更前名称による検索が可能であるため、検索操作受付ボタンをユーザが選択可能な態様（トーンアップ）で表示する。そしてユーザが検索操作受付ボタンをタッチパネル３を介して選択することにより、登録地点関連情報の検索を指示操作した場合（ＳＣ６、Ｙｅｓ）、検索部７ｃは、ＳＣ９で格納されていると判定した変更前名称に基づいて、ＳＣ７、ＳＣ８を上記と同様に行い、登録地点関連情報案内処理を終了する。
【００４８】
一方、ＳＣ９において変更前名称が格納されていないと判定した場合（ＳＣ９、Ｎｏ）、検索部７ｃは、ＳＣ２で選択された名称（この場合には変更後名称）又は住所を閲覧するための閲覧画面を生成してディスプレイ４に表示する（ＳＣ１０）。あるいは、ＳＣ３において名称が格納されていないと判定した場合（ＳＣ３、Ｎｏ）、検索部７ｃは、住所を閲覧するための閲覧画面を生成してディスプレイ４に表示する（ＳＣ１０）。この際、検索部７ｃは、登録地点関連情報の検索の指示操作をユーザから受け付けるための検索操作受付ボタンを、当該検索の指示操作をユーザから受け付けることが不可となる所定態様で、ディスプレイ４に表示する。
【００４９】
図６は、登録地点関連情報の検索が不可な場合の閲覧画面の表示例である。この図６の例では、閲覧画面は、ユーザによって選択された名称（この場合には変更後名称）又は住所の表示領域と、検索操作受付ボタンを含んで構成されている。ここで、ＳＣ４において名称がユーザによって変更されていると判定されており、かつ、ＳＣ９において変更前名称が格納されていないと判定されていることから、あるいは、ＳＣ４において名称が登録地点情報ＤＢ８ｂに格納されていないと判定されていることから、変更前名称による検索が不可であるため、検索操作受付ボタンをユーザが選択不可な態様（トーンダウン）で表示する。従って、ユーザは、登録地点関連情報の検索を指示することができないこととなり、ＳＣ６〜ＳＣ８を行うことなく、登録地点関連情報案内処理を終了する。
【００５０】
（効果）
このように本実施の形態によれば、登録地点の名称がユーザによって変更されたと判定した場合であって、登録地点に対応する変更前名称が格納されていると判定した場合には、変更前名称を少なくとも含む検索キーワードに基づいて検索を行うので、ユーザが任意に変更した変更後名称を含む検索キーワードに基づいて検索を行う場合に比べて、一層適切な検索結果を得ることが可能になり、登録地点関連情報案内における利便性を向上することができる。
【００５１】
また、登録地点に対応する変更前名称が格納されていないと判定した場合には、検索の指示操作をユーザから受け付けることが不可となる所定態様で検索操作受付手段を表示手段に表示させるので、ユーザが任意に変更した変更後名称を含む検索キーワードに基づいて検索が行われることを防止でき、適切な検索結果が得られる可能性が低い検索が行われることを未然に防止することができ、登録地点関連情報案内における利便性を向上することができる。
【００５２】
また、住所と変更前名称とを含む検索キーワードに基づいて検索を行うので、変更前名称のみを含む検索キーワードに基づいて検索を行う場合に比べて、一層適切な検索結果を得ることが可能になり、登録地点関連情報案内における利便性を向上することができる。
【００５３】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５４】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、従来より適切な検索結果を得ること等ができない場合であっても、従来と同程度の検索結果を従来とは異なる技術により取得できている場合には、本願発明の課題が解決されている。
【００５５】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散や統合して構成できる。例えば、登録地点関連情報案内装置１の各構成要素を、分散配置した上でネットワークを介して相互に接続してもよい。
【００５６】
（登録地点の名称の判定方法について）
上記実施の形態では、登録地点の名称がユーザによって変更されたか否かを判定する際、図４のＳＣ２で選択された名称が、登録地点情報ＤＢ８ｂに変更前名称として格納されている名称である場合には、名称がユーザによって変更されていないと判定し、登録地点情報ＤＢ８ｂに変更後名称として格納されている名称である場合には、名称がユーザによって変更されていると判定している。しかしながら、他の方法により、登録地点の名称がユーザによって変更されたか否かを判定してもよい。例えば、登録地点情報ＤＢ８ｂの登録地点情報には、登録地点の名称がユーザによって変更されたか否かを示す名称変更フラグを格納するようにしてもよい。そして、登録地点情報編集処理において、変更前名称が変更された場合には、名称変更フラグを立てる処理を行い、登録地点関連情報案内処理においては、この名称変更フラグが立っているか否かに基づいて、変更前名称が変更されたか否かを判定してもよい。
【００５７】
（検索指示の受け付けについて）
上記実施の形態では、検索指示の受け付けを、検索操作受付ボタンを介して行うこととしているが、この他にも、音声入力により受け付けること等、任意の方法で受け付けることができる。また、検索の指示操作をユーザから受け付けることが可能となる所定態様や、検索の指示操作をユーザから受け付けることが不可となる所定態様に関しても、検索指示の受け付け方法に応じて種々変更することが可能である。例えば、検索操作受付ボタンを介して行う場合、検索の指示操作をユーザから受け付けることが不可となる所定態様としては、検索操作受付ボタンをトーンダウンすることに代えて、検索操作受付ボタンを非表示としてもよい。あるいは、音声入力により受け付ける場合、検索の指示操作をユーザから受け付けることが可能となる所定態様としては、「検索したい登録地点の名称を発声してください」のようなガイド音声を出力し、検索の指示操作をユーザから受け付けることが不可となる所定態様としては、「登録地点の検索を行うことはできません」のようなガイド音声を出力することや、ガイド音声を一切出力しないことが考えられる。
【符号の説明】
【００５８】
１  登録地点関連情報案内装置
２  現在位置取得部
３  タッチパネル
４  ディスプレイ
５  スピーカ
６  登録地点関連情報案内部
７  制御部
７ａ  登録部
７ｂ  編集部
７ｃ  検索部
８  データ記録部
８ａ  地図情報ＤＢ
８ｂ  登録地点情報ＤＢ
【図１】
0005708547.tif 000002
【図２】
0005708547.tif 000003
【図３】
0005708547.tif 000004
【図４】
0005708547.tif 000005
【図５】
0005708547.tif 000006
【図６】
0005708547.tif 000007